(57)【要約】【課題】床パネルの壁面近傍部分を支持脚で支持する構成とできて、支持具にかかるコストを低減でき、しかも、床パネルの壁面近傍部分の剛性も充分に確保可能な床下地構造を提供する。【解決手段】本発明の床下地構造は、床スラブ２に設置された支持脚３と支持脚３により支持された床パネルとを備えた床下地構造において、壁際に配置される床パネル４Ａの壁面１０に近い部分（壁面近傍部分１１）が補強材１２を備え、支持脚３が補強材１２の下方に設置され、補強材１２の下面１２ａが支持脚３により支持されたことを特徴とする。【選択図】図１
2009091735.tif 000002
【特許請求の範囲】
【請求項１】
床スラブに設置された支持脚と支持脚により支持された床パネルとを備えた床下地構造において、壁際に配置される床パネルの壁面に近い部分が補強材を備え、支持脚が補強材の下方に設置され、補強材の下面が支持脚により支持されたことを特徴とする床下地構造。
【請求項２】
床スラブに設置された支持脚と支持脚により支持された床パネルとを備えた床下地構造において、複数の支持脚が、壁際に配置される床パネルの壁面に近い部分の下面を支持するために壁面に沿った方向において間隔を隔てて設けられるとともに、支持脚と支持脚との間に位置する床パネルの壁面に近い部分が補強材を備えたことを特徴とする床下地構造。
【請求項３】
壁際に配置される床パネルの端面と壁面とが非接触状態となるように、この床パネルが支持脚により支持されたことを特徴とする請求項１又は請求項２に記載の床下地構造。
【発明の詳細な説明】
【技術分野】
【０００１】
本発明は、二重床における床下地構造に関する。
【背景技術】
【０００２】
室内の壁際に配置される床パネルの壁面近傍部分がシステム根太と言われるもので支持され、床パネルの壁面近傍部分以外の部分が支持脚で支持された床下地構造が知られている（例えば、特許文献１；２等参照）。システム根太は、壁面に沿って延長した所定長さの根太材と根太材の長手方向の両方の端部にそれぞれ設けられた支持脚部とにより構成される。支持脚部は、床スラブに設置される防振ゴムと、下部が防振ゴムに取付けられた例えば金属製の支柱とにより形成される。支柱の上部の外周面は雄ねじ部に形成される。根太材の端部には根太材の上下面に貫通する貫通孔を備え、この貫通孔内には上下に貫通する例えば金属製の筒が設けられ、この筒の内周面は雌ねじ部に形成される。システム根太は、雄ねじ部の雄ねじと雌ねじ部の雌ねじとのねじ嵌合により根太材が支柱に対して上下に移動可能に構成され、根太材の高さを調整可能である。支持脚は、床スラブに設置される防振ゴムと、下部が防振ゴムに取付けられて防振ゴムに支持される例えば金属製の支柱と、支柱の上端部に設けられた台座とを備える。支柱の上部の外周面は雄ねじ部に形成される。台座は、台座の上下面に貫通する貫通孔を備え、この貫通孔内には上下に貫通する例えば金属製の筒が設けられ、この筒の内周面は雌ねじ部に形成される。支持脚は、雄ねじ部の雄ねじと雌ねじ部の雌ねじとのねじ嵌合により台座が支柱に対して上下に移動可能に構成され、台座の高さを調整可能である。
【特許文献１】特開２０００−０２７４１６号公報
【特許文献２】特開２０００−１０４３９３号公報
【発明の開示】
【発明が解決しようとする課題】
【０００３】
上記床下地構造によれば、システム根太が、上述したように根太材の両端部を支持脚部で支持した特殊な構成の部品なので、支持具のコストが嵩むといった課題があった。
本発明は、上記課題に鑑みてなされたもので、床パネルの壁面近傍部分を支持脚で支持する構成とできて、支持具にかかるコストを低減でき、しかも、床パネルの壁面近傍部分の剛性も充分に確保可能な床下地構造を提供する。
【課題を解決するための手段】
【０００４】
本発明の床下地構造は、床スラブに設置された支持脚と支持脚により支持された床パネルとを備えた床下地構造において、壁際に配置される床パネルの壁面に近い部分が補強材を備え、支持脚が補強材の下方に設置され、補強材の下面が支持脚により支持されたことを特徴とする。
本発明の床下地構造は、床スラブに設置された支持脚と支持脚により支持された床パネルとを備えた床下地構造において、複数の支持脚が、壁際に配置される床パネルの壁面に近い部分の下面を支持するために壁面に沿った方向において間隔を隔てて設けられるとともに、支持脚と支持脚との間に位置する床パネルの壁面に近い部分が補強材を備えたことを特徴とする。
壁際に配置される床パネルの端面と壁面とが非接触状態となるように、この床パネルが支持脚により支持されたことも特徴とする。
【発明の効果】
【０００５】
本発明の床下地構造によれば、システム根太を用いる場合に比べて支持具のコストを低減できるとともに、床パネルの壁面近傍部分の剛性も充分に確保できる。
床パネルの端面と壁面とが非接触状態となるように、床パネルが支持脚により支持されたので、床パネルの端面と壁面とが擦れあうことによる擦れ音の発生を防止できる。
【発明を実施するための最良の形態】
【０００６】
最良の形態１
図１及び図２は最良の形態１を示し、図１は床下地構造を備えた二重床の断面を示し、図２は床パネル及び支持脚の配置例を上から見て示す。
【０００７】
図１；図２に示すように、床下地構造１は、床スラブ２に設置された複数の支持脚３と、支持脚３により支持された複数の床パネル４と、補強材１２とにより形成される。床パネル４としては、例えば、長辺の長さ１８２０ｍｍ、短辺の長さ６００ｍｍ、厚さ２０ｍｍの長方形平板状に形成されたボードが使用される。複数の床パネル４が部屋や廊下のような室内５の床レベル面上に並ぶように敷設され、隣り合う床パネル４同士は、端面６同士が隙間ｅを介して離されて配置される。隙間ｅは１５ｍｍ〜２０ｍｍ程度である。図示しないが端面６同士が互いに接触し合うように配置される場合もある。
【０００８】
床スラブ２に設置される支持脚３は、台座３３が、互いに隣り合う各々の床パネル４の下面７に跨るように配置されたり、台座３３が、１つの床パネル４の下面７に位置するように配置されたり、台座３３が、後述する補強材１２の下面１２ａに位置するように配置される。支持脚３の台座３３と床パネル４とが釘などの固定具によって互いに連結される。複数の支持脚３の設置間隔は、例えば、３００ｍｍ〜６００ｍｍ程度に決められる。
【０００９】
支持脚３は、床スラブ２に設置される防振ゴム３１と、下部が防振ゴム３１に取付けられて防振ゴム３１に支持される例えば金属製の支柱３２と、支柱３２の上端部に設けられた台座３３とを備える。支柱３２の上部の外周面は図外の雄ねじ部に形成される。台座３３は、例えばパーティクルボードや合板などで形成される。台座３３は、台座３３の上下面に貫通する図外の貫通孔を備え、この貫通孔内には上下に貫通する図外の金属製の筒３４が設けられ、この筒３４の内周面は図外の雌ねじ部に形成される。つまり、支持脚３は、雄ねじ部の雄ねじと雌ねじ部の雌ねじとのねじ嵌合により台座３３が支柱３２に対して上下に移動可能に構成され、台座３３の高さを調整可能である。
【００１０】
室内５の壁際に配置される床パネル（以下、壁際床パネルという）４Ａは、壁面１０に近い部分（以下、壁面近傍部分という）１１の下面７Ａに補強材１２が取付けられたことによって、壁面近傍部分１１の下面７Ａが補強材１２を備えた構成である。補強材１２は、細長い平板状に形成され、長手方向が壁面１０に沿った方向に延長するとともに、短手方向が壁際床パネル４Ａの下面７Ａに沿って壁面１０より離れる方向Ｘに延長するように設けられる。補強材１２は、例えば、長手方向の長さが、壁際床パネル４Ａの壁面近傍部分１１における壁面１０に沿った方向の長さに合わせられ、短手方向の長さが４５０ｍｍ〜６００ｍｍ程度、厚さｔが２０ｍｍ程度である。
【００１１】
補強材１２は、壁際床パネル４Ａの壁面近傍部分１１の下面７Ａに強固に一体化されるように取付けられる。例えば、補強材１２と壁際床パネル４Ａとが、釘、ビス、ステープル、接着剤のうちの１つあるいは２つ以上の併用によって、互いに強固に一体化するように取付けられる。壁際床パネル４Ａと上記補強材１２とにより、壁際補強床パネルが形成される。図１に示すように、補強材１２は、例えば、壁面１０と向かい合う面１３と壁面１０に対して隙間ａを隔てて配置される壁際床パネル４Ａの壁側端面６Ａとが面一となるように、壁際床パネル４Ａの下面７Ａに取付けられる。
【００１２】
支持脚３が補強材１２の下面１２ａを支持するように床スラブ２に設置される。支持脚３は、補強材１２の下方において壁面１０に沿った方向に間隔を隔てて複数設置される。これら支持脚３の台座３３の上面３３ａと補強材１２の下面１２ａとが接触した状態で釘など固定具により互いに固定されたことによって、壁際床パネル４Ａの壁面近傍部分１１と補強材１２とが支持脚３によって下方から支持される。これにより、補強材１２と床スラブ２とが非接触状態に維持され、かつ、壁際床パネル４Ａの壁側端面６Ａと壁面１０とが隙間ａを隔てて非接触状態に維持される。壁際床パネル４Ａの壁側端面６Ａと壁面１０とが隙間ａを隔てて非接触状態に維持されたことで、壁際床パネル４Ａの壁面近傍部分１１に荷重が加わって壁面近傍部分１１が上下に動いたとしても壁側端面６Ａと壁面１０とが擦れあうことが防止されるため、擦れ音の発生を防止できる。
尚、室内５の壁際に配置される支持脚３の防振ゴム３１Ａの硬度は、室内５の中央側に配置される支持脚３の防振ゴム３１の硬度よりも硬い。
【００１３】
補強材１２としては、パーティクルボード、木材、石膏ボード、金属、中密度繊維板（MDF (medium density fiberboard)、木質系建材、断熱性建材、樹脂、紙などにより形成されたものを用いればよい。
【００１４】
以上のように構成された床下地構造１における床パネル４の上面に、図１に示すように、下地材２１が設けられ、その下地材２１の上に仕上げ材２２が設けられることによって、床スラブ２と、支持脚３と、床パネル４と、下地材２１と、仕上げ材２２とを備えた二重床２０が構成される。下地材２１と壁面１０との間、及び、仕上げ材２２と壁面１０との間にも隙間を設ける。これら隙間は２ｍｍ〜５ｍｍ程度である。
【００１５】
床パネル４、下地材２１、仕上げ材２２の材質や形状などは特に限定されないが、床パネル４は、例えばパーティクルボードにより形成され、下地材２１は、例えば合板により形成され、仕上げ材２２は、例えば、フローリングやカーペットにより形成される。
【００１６】
最良の形態１の床下地構造１によれば、壁際床パネル４Ａの壁面近傍部分１１の下面７Ａに補強材１２は強固に一体化されるように取付けられ、支持脚３が補強材１２の下方に設置されて台座３３の上面３３ａと補強材１２の下面１２ａとが接触した状態で台座３３と補強材１２とが固定具により互いに固定されたことによって、補強材１２の下面１２ａが支持脚３によって支持されたので、システム根太を用いて壁際床パネル４Ａの壁面近傍部分１１を支持する場合に比べて支持具のコストを低減できるとともに、補強材１２と支持脚３とによって壁際床パネル４Ａの壁面近傍部分１１の剛性も充分に確保できる。特に、補強材１２の材質や寸法を選定することによって、壁際床パネル４Ａの壁面近傍部分１１の剛性として、システム根太を用いて壁際床パネル４Ａの壁面近傍部分１１を支持した場合の壁際床パネル４Ａの壁面近傍部分１１の剛性と同等の剛性を得ることも可能となる。尚、床下地構造１における、壁際床パネル４Ａの壁面近傍部分１１の剛性は、補強材１２の上下方向（壁際床パネル４Ａの下面７Ａより床スラブ２に向かう方向）に延長する長さ（＝厚さ）ｔの２乗に比例して大きくなるので、長さｔを長くすることで、壁際床パネル４Ａの壁面近傍部分１１の剛性を向上できる。よって、補強材１２の上下方向に延長する長さｔを調整することによって、壁際床パネル４Ａの壁面近傍部分１１に所望の剛性を与えることができる。
また、支持具として支持脚３のみを使用した構成であるため、システム根太と支持脚という２種類の支持具を使用する従来構成に比べて、支持具のコストを低減できる。尚、壁際床パネル４Ａの壁面近傍部分１１を支持する支持脚３と壁際床パネル４Ａの壁面近傍部分１１以外を支持する支持脚３とで支柱３２の長さや防振ゴム３１の違うものを使用することもあるが、構成自体は同じなので、システム根太を使用する場合と比べれば支持具のコストを低減できる。
【００１７】
最良の形態２
図３；４に示すように、壁際床パネル４Ａの壁面近傍部分１１を支持するために、壁際床パネル４Ａの壁面近傍部分１１の下方において壁面１０に沿った方向に間隔を隔てて複数の支持脚３を設置し、支持脚３と支持脚３との間に位置する壁際床パネル４Ａの壁面近傍部分１１の下面７Ａに、下面７Ａと一体となるように補強材１２を取付けることで、支持脚３と支持脚３との間に位置する壁際床パネル４Ａの下面７Ａが床スラブ２と非接触な補強材１２を備えた構成の床下地構造１とした。言い換えれば、補強材１２が、支持脚３で支持される部分を除いて壁面１０に沿って連続的又は間欠的に並ぶように壁際床パネル４Ａの壁面近傍部分１１の下面７Ａに設けられた構成とした。
最良の形態２によれば、最良の形態１と同様な効果が得られる他、壁際床パネル４Ａの壁面近傍部分１１を支持する支持脚３と壁際床パネル４Ａの壁面近傍部分１１以外を支持する支持脚３とで支柱３２の長さの同じものを使用することができるので、支持具のコストをより低減できる。
また、最良の形態１と比べ、壁際床パネル４Ａの壁面近傍部分１１において、支持脚３で支持されている部分の剛性と支持脚３で支持されていない部分の剛性との差が小さくなるので、壁際床パネル４Ａの壁面近傍部分１１の強度のばらつきを少なくできる。つまり、最良の形態１では、支持脚３で支持されている部分の剛性は、壁際床パネル４Ａと補強材１２と支持脚３とを足した剛性であり、支持脚３で支持されていない部分の剛性は、壁際床パネル４Ａと補強材１２とを足した剛性であり、その差は支持脚３の剛性である。一方、最良の形態２では、支持脚３で支持されている部分の剛性は、壁際床パネル４Ａと支持脚３とを足した剛性であり、支持脚３で支持されていない部分の剛性は、壁際床パネル４Ａと補強材１２とを足した剛性であり、その差は（支持脚３の剛性−補強材１２の剛性）であるので、剛性の差が小さくなる。
【００１８】
最良の形態３
図５に示すように、補強材１２として、紙を加工してハニカム形状に形成された補強材１２を用いても良い。このハニカム形状に形成された補強材１２の孔４２の一方の開口縁部４３と支持脚３の台座３３とが接着剤などで接着された構成としたり、このハニカム形状に形成された補強材１２の孔４２の一方の開口縁部４３と壁際床パネル４Ａの壁面近傍部分１１の下面７Ａとが接着剤などで接着された構成としてもよい。この場合、安価な紙を用いて補強効果を得ることができるので、経済的となる。
【００１９】
尚、図６に示すように、壁際床パネル４Ａの壁面近傍部分１１に、壁面近傍部分１１から床スラブ２の方向に延長する補強材１２を設けてもよい。
【００２０】
また、本発明で言う壁側床パネル４Ａの壁面近傍部分１１とは、壁際床パネル４Ａの壁面近傍部分１１の下面７Ａの他、壁際床パネル４Ａの壁側端面６Ａも含む。従って、本発明で言う壁際床パネル４Ａの壁面近傍部分１１が補強材１２を備えたと言う意味は、壁面１０と向かい合う補強材１２の面１３と壁際床パネル４Ａの壁側端面６Ａとが面一となるように補強材１２が壁際床パネル４Ａの下面７Ａに取付けられた形態の他、図６（ａ）に示すように、補強材１２の面１３と対向する面１４の上端部１５と壁際床パネル４Ａの壁側端面６Ａとが互いに接触した状態に取り付けられた形態、図６（ｂ）；（ｃ）に示すように、補強材１２の面１３と壁際床パネル４Ａの壁側端面６Ａとが互いに段差面５１；５２を形成するように壁際床パネル４Ａの下面７Ａと補強材１２の上端面５５とが互いに接触した状態に取付けられた形態も含む。この段差面５１；５２間の段差長Ｓは、例えば、１０ｍｍ以下とする。
【００２１】
また、各最良の形態において、壁際床パネル４Ａの壁側端面６Ａと壁面１０とが互いに接触した構成の床下地構造としてもよい。つまり、壁際床パネル４Ａの壁側端面６Ａと壁面１０との間、下地材２１と壁面１０との間、及び、仕上げ材２２と壁面１０との間に、隙間を設けず、両者を互いに接触させた構成の二重床としてもよい。
【産業上の利用可能性】
【００２２】
床パネル４の上に下地材２１を設けずに床パネル４の上に仕上げ材２２を直接設けることによって二重床を構成してもよい。
最良の形態１において、補強材１２が、壁面１０に沿って間欠的に並ぶように壁際床パネル４Ａの壁面近傍部分１１の下面７Ａに設けられた構成としてもよい。
【図面の簡単な説明】
【００２３】
【図１】床下地構造を備えた二重床の断面図（最良の形態１）。
【図２】床パネル及び支持脚の配置例を示す平面図（最良の形態１）。
【図３】床下地構造を備えた二重床の断面図（最良の形態２）。
【図４】床パネル及び支持脚の配置例を示す平面図（最良の形態２）。
【図５】紙によるハニカム構造の補強材を示す斜視図（最良の形態３）。
【図６】補強材と床パネルの縁部との取付例を示す図。
【符号の説明】
【００２４】
１  床下地構造、２  床スラブ、３  支持脚、４Ａ  壁際床パネル（床パネル）、
６  壁際床パネルの壁側端面、７Ａ  壁際床パネルの下面、１０  壁面、
１１  壁際床パネルの壁面近傍部分、１２  補強材。
【図１】
2009091735.tif 000003
【図２】
2009091735.tif 000004
【図３】
2009091735.tif 000005
【図４】
2009091735.tif 000006
【図５】
2009091735.tif 000007
【図６】
2009091735.tif 000008